(57)【要約】【課題】点検時や不具合発生時に専用の計測器を現場へ持ち込むことなく即座にポンプのデータを計測できる給水装置を提供する。【解決手段】給水装置は、ポンプと、ポンプの動作を制御する制御盤と、制御盤の筐体に対して着脱可能なリモコンと、を備える。リモコンは、制御盤と通信可能な通信部と、制御盤への操作情報の入力を受け付ける入力部と、制御盤から取得される情報を表示する表示部と、ポンプや配管に接着可能な接着部と、ポンプのデータを計測するセンサを有する計測部と、を有する。表示部は、計測部の計測データの表示を行う。【選択図】  図１
2019113013.tif 000002
【特許請求の範囲】
【請求項１】
ポンプと、
前記ポンプの動作を制御する制御盤と、
前記制御盤の筐体に対して着脱可能なリモコンと、
を備え、
前記リモコンは、
前記制御盤と通信可能な通信部と、
前記制御盤への操作情報の入力を受け付ける入力部と、
前記制御盤から取得される情報を表示する表示部と、
前記ポンプおよび配管の一方または両方に接着可能な接着部と、
前記ポンプのデータを計測するセンサを有する計測部と、
を有し、
前記表示部は、前記計測部の計測データの表示を行う
ことを特徴とする給水装置。
【請求項２】
前記センサは、振動センサ、騒音センサ、温度センサおよび浸水センサのうちの１つまたは２つ以上である
ことを特徴とする請求項１に記載の給水装置。
【請求項３】
前記リモコンは、前記計測部の計測データを記憶する記憶部をさらに有する
ことを特徴とする請求項１または２に記載の給水装置。
【請求項４】
前記リモコンは、インターネットに接続可能な無線通信部をさらに有する
ことを特徴とする請求項１〜３のいずれかに記載の給水装置。
【請求項５】
前記リモコンは、前記計測部の計測データを監視する制御部をさらに有し、
前記記憶部には、第１の閾値が記憶され、
前記制御部は、前記計測データが前記第１の閾値に到達したと判定した場合には、前記表示部に警告を表示する、および／または、前記制御盤に制御信号を送信して前記ポンプの動作を停止する、
ことを特徴とする請求項１〜４のいずれかに記載の給水装置。
【請求項６】
前記記憶部には、前記第１の閾値より低い第２の閾値が記憶され、
前記制御部は、前記計測データが前記第２の閾値に到達したと判定した場合には、前記制御盤に制御信号を送信して前記ポンプの運転周波数を低下させる、または、前記ポンプが予め定められたジャンプ周波数帯域で運転しないよう運転周波数を調整する、または、ジャンプ周波数自体を書き換える
ことを特徴とする請求項５に記載の給水装置。
【請求項７】
前記記憶部には、前記第１の閾値より低い第２の閾値が記憶され、
前記制御部は、前記計測データが前記第２の閾値に到達したと判定した場合には、前記表示部に故障箇所の部品交換を促す表示を行う
ことを特徴とする請求項５に記載の給水装置。
【請求項８】
前記リモコンは、前記計測部の計測データを監視する制御部をさらに有し、
前記記憶部には、第２の閾値が記憶され、
前記制御部は、前記計測データが前記第２の閾値に到達したと判定した場合には、前記無線通信部を介して故障箇所の交換部品の手配を行う
ことを特徴とする請求項４に記載の給水装置。
【請求項９】
前記リモコンは、前記ポンプおよび配管のいずれか一方または両方に取り付けられたＩＣタグを読み取り可能なＩＣタグ読取部をさらに有する
ことを特徴とする請求項１〜８のいずれかに記載の給水装置。
【請求項１０】
給水装置の制御盤の筐体に対して着脱可能なリモコンであって、
前記制御盤と通信可能な通信部と、
前記制御盤への操作情報の入力を受け付ける入力部と、
前記制御盤から取得される情報を表示する表示部と、
前記ポンプおよび配管の一方または両方に接着可能な接着部と、
前記ポンプのデータを計測するセンサを有する計測部と、
を有し、
前記表示部は、前記計測部の計測データの表示を行う
ことを特徴とするリモコン。
【請求項１１】
リモコンによる給水装置の制御方法であって、
前記給水装置の制御盤の筐体から取り外された前記リモコンの接着部が、前記給水装置のポンプに接着するステップと、
前記リモコンの計測部が、前記ポンプのデータを計測するステップと、
前記リモコンの制御部が、前記計測部の計測データを監視するステップと、
前記制御部が、前記計測データが前記リモコンの記憶部に記憶された第１の閾値に到達したと判定した場合には、前記リモコンの表示部に警告を表示する、および／または、前記制御盤に制御信号を送信して前記ポンプの動作を停止するステップと、
を備えたことを特徴とする制御方法。
【請求項１２】
前記制御部が、前記計測データが前記記憶部に記憶された前記第１の閾値より低い第２の閾値に到達したと判定した場合には、前記給水装置の制御盤に制御信号を送信して前記ポンプの運転周波数を低下させる、または、前記ポンプが予め定められたジャンプ周波数帯域で運転しないよう運転周波数を調整する、または、ジャンプ周波数自体を書き換えるステップ、
を更に備えたことを特徴とする請求項１１に記載の制御方法。
【請求項１３】
前記制御部が、前記計測データが前記記憶部に記憶された前記第１の閾値より低い第２の閾値に到達したと判定した場合には、前記表示部に故障箇所の部品交換を促す表示を行うステップ、
を更に備えたことを特徴とする請求項１１に記載の制御方法。
【請求項１４】
前記制御部が、前記計測データが前記記憶部に記憶された前記第１の閾値より低い第２の閾値に到達したと判定した場合には、インターネットに接続可能な前記リモコンの無線通信部を介して故障箇所の交換部品の手配を行うステップ、
を更に備えたことを特徴とする請求項１１に記載の制御方法。
【発明の詳細な説明】
【技術分野】
【０００１】
本発明は、給水装置に関する。
【背景技術】
【０００２】
給水装置は、集合住宅やオフィスビル等の建物の給水設備として使用される装置であり、たとえば増圧給水方式では、水道本管から分岐した給水管に給水装置が直接接続され、給水管の圧力を給水装置のポンプにより更に増圧して、建物内の所要箇所への給水を行う。特許文献１には、リモコンを備えた給液装置が開示されている。
【０００３】
ところで、給水装置が住居に隣接して設置されている場合など、ポンプの振動や騒音が問題となる事例がある。
【０００４】
従来、給水装置における振動や騒音対策として、振動センサや騒音センサを給水装置内に事前に設置することが提案されている。しかしながら、振動センサや騒音センサを給水装置内に設置する際に、適切な取り付け場所や取り付け方向になっていない場合には、期待しているようなデータがセンサで得られず、振動や騒音を抑制するための制御や、振動や騒音が発生した際の保護に、有効活用することができない。
【０００５】
たとえば、給水装置の吸込配管や吐出配管の締結部では、常に振動することから緩みが生じやすく、緩みが生じた場合には、振動や騒音データに変化が生じることが期待される。しかしながら、センサの取り付け場所が適切でなかった場合には、締結部に緩みが生じたとしても、これらの変化をセンサで捉えきれず漏水が発生したり、逆に緩みが生じていないのにセンサの計測データに変化が生じて、誤検知に繋がるおそれがある。
【０００６】
また、給水装置内のモータやポンプの軸受部において、摩耗や劣化により発生する振動や騒音を検知するために、振動の発生方向を予測してセンサの取り付けが行われるが、実際の摩耗や劣化具合により振動の発生する方向がセンサの取り付け方向とは異なっていた場合、センサにより適切なデータが得られず、振動や騒音の発生が継続し、最終的には破損に繋がる可能性がある。
【０００７】
すなわち、振動センサや騒音センサを給水装置内に事前に設置する際に、センサの取り付け場所や取り付け方向を適切化することは困難であり、結果として、実際に振動や騒音に関する不具合が発生した現場においては、不具合発生後に、専用の計測器を現場へ持ち込んで測定し、測定結果を元に、振動や騒音の発生原因を探求し、その後に対策を施すことが行われている。そのため、問題を解決するまでに多大な時間と工数が必要となる。また、対策においても、部品を交換したり、配管を調査したりといった作業が必要となり、場合によっては断水を要することもあり、多大なロスコスト発生原因となっている。
【先行技術文献】
【特許文献】
【０００８】
【特許文献１】特開平１０−７７９７１号公報
【発明の概要】
【発明が解決しようとする課題】
【０００９】
本発明は、以上のような問題点に着目し、これを有効に解決すべく創案されたものである。本発明の目的は、点検時や不具合発生時に専用の計測器を現場へ持ち込むことなく即座にポンプのデータを計測できる給水装置を提供することにある。
【課題を解決するための手段】
【００１０】
本発明の第１の態様に係る給水装置は、
ポンプと、
前記ポンプの動作を制御する制御盤と、
前記制御盤の筐体に対して着脱可能なリモコンと、
を備え、
前記リモコンは、
前記制御盤と通信可能な通信部と、
前記制御盤への操作情報の入力を受け付ける入力部と、
前記制御盤から取得される情報を表示する表示部と、
前記ポンプおよび配管の一方または両方に接着可能な接着部と、
前記ポンプのデータを計測するセンサを有する計測部と、
を有し、
前記表示部は、前記計測部の計測データの表示を行う。
【００１１】
このような態様によれば、制御盤の筐体から取り外したリモコンの接着部をポンプや配管に接着させた状態で、計測部によりポンプのデータを計測することができる。これにより、点検時や不具合発生時に専用の計測器を現場へ持ち込むことなく即座にポンプのデータ計測を開始できる。したがって、問題を解決するまでの時間および工数の削減が可能となる。
【００１２】
また、このような態様によれば、計測部により計測された計測データが表示部に表示されるため、ユーザは、リモコンが適切な設置場所および設置方向で設置されているか否かを、表示部に表示された数値を確認してその場で判断することができる。また、リモコンが接着部によりポンプや配管に対して着脱可能に固定されるため、リモコンの設置場所および設置方向が適切でなかった場合には、リモコンの設置場所および設置方向を容易に調整（修正）して、データ計測を継続することが可能である。これにより、作業性が向上し、作業時間短縮の実現や作業ミスの削減、さらにメンテナンス費用の削減に繋げることが可能となる。
【００１３】
本発明の第２の態様に係る給水装置は、第１の態様に係る給水装置であって、
前記センサは、振動センサ、騒音センサ、温度センサおよび浸水センサのうちの１つまたは２つ以上である。
【００１４】
本発明の第３の態様に係る給水装置は、第１または２の態様に係る給水装置であって、
前記リモコンは、前記計測部の計測データを記憶する記憶部をさらに有する。
【００１５】
本発明の第４の態様に係る給水装置は、第１〜３のいずれかの態様に係る給水装置であって、
前記リモコンは、インターネットに接続可能な無線通信部をさらに有する。
【００１６】
本発明の第５の態様に係る給水装置は、第１〜４のいずれかの態様に係る給水装置であって、
前記リモコンは、前記計測部の計測データを監視する制御部をさらに有し、
前記記憶部には、第１の閾値が記憶され、
前記制御部は、前記計測データが前記第１の閾値に到達したと判定した場合には、前記表示部に警告を表示する、および／または、前記制御盤に制御信号を送信して前記ポンプの動作を停止する。
【００１７】
本発明の第６の態様に係る給水装置は、第５の態様に係る給水装置であって、
前記記憶部には、前記第１の閾値より低い第２の閾値が記憶され、
前記制御部は、前記計測データが前記第２の閾値に到達したと判定した場合には、前記制御盤に制御信号を送信して前記ポンプの運転周波数を低下させる、または、前記ポンプが予め定められたジャンプ周波数帯域で運転しないよう運転周波数を調整する、または、ジャンプ周波数自体を書き換える。
【００１８】
本発明の第７の態様に係る給水装置は、第５の態様に係る給水装置であって、
前記記憶部には、前記第１の閾値より低い第２の閾値が記憶され、
前記制御部は、前記計測データが前記第２の閾値に到達したと判定した場合には、前記表示部に故障箇所の部品交換を促す表示を行う。
【００１９】
本発明の第８の態様に係る給水装置は、第４の態様に係る給水装置であって、
前記リモコンは、前記計測部の計測データを監視する制御部をさらに有し、
前記記憶部には、第２の閾値が記憶され、
前記制御部は、前記計測データが前記第２の閾値に到達したと判定した場合には、前記無線通信部を介して故障箇所の交換部品の手配を行う。
【００２０】
本発明の第９の態様に係る給水装置は、第１〜８のいずれかの態様に係る給水装置であって、
前記リモコンは、前記ポンプおよび配管のいずれか一方または両方に取り付けられたＩＣタグを読み取り可能なＩＣタグ読取部をさらに有する。
【００２１】
本発明の第１０の態様に係るリモコンは、
給水装置の制御盤の筐体に対して着脱可能なリモコンであって、
前記制御盤と通信可能な通信部と、
前記制御盤への操作情報の入力を受け付ける入力部と、
前記制御盤から取得される情報を表示する表示部と、
前記ポンプおよび配管のいずれか一方または両方に接着可能な接着部と、
前記ポンプのデータを計測するセンサを有する計測部と、
を有し、
前記表示部は、前記計測部の計測データの表示を行う。
【００２２】
本発明の第１１の態様に係る制御方法は、
リモコンによる給水装置の制御方法であって、
前記給水装置の制御盤の筐体から取り外された前記リモコンの接着部が、前記給水装置のポンプに接着するステップと、
前記リモコンの計測部が、前記ポンプのデータを計測するステップと、
前記リモコンの制御部が、前記計測部の計測データを監視するステップと、
前記制御部が、前記計測データが前記リモコンの記憶部に記憶された第１の閾値に到達したと判定した場合には、前記リモコンの表示部に警告を表示する、および／または、前記制御盤に制御信号を送信して前記ポンプの動作を停止するステップと、
を備える。
【００２３】
本発明の第１２の態様に係る制御方法は、第１１の態様に係る制御方法であって、
前記制御部が、前記計測データが前記記憶部に記憶された前記第１の閾値より低い第２の閾値に到達したと判定した場合には、前記給水装置の制御盤に制御信号を送信して前記ポンプの運転周波数を低下させる、または、前記ポンプが予め定められたジャンプ周波数帯域で運転しないよう運転周波数を調整する、または、ジャンプ周波数自体を書き換えるステップ、
を更に備える。
【００２４】
本発明の第１３の態様に係る制御方法は、第１１の態様に係る制御方法であって、
前記制御部が、前記計測データが前記記憶部に記憶された前記第１の閾値より低い第２の閾値に到達したと判定した場合には、前記表示部に故障箇所の部品交換を促す表示を行うステップ、
を更に備える。
【００２５】
本発明の第１４の態様に係る制御方法は、第１１の態様に係る制御方法であって、
前記制御部が、前記計測データが前記記憶部に記憶された前記第１の閾値より低い第２の閾値に到達したと判定した場合には、インターネットに接続可能な前記リモコンの無線通信部を介して故障箇所の交換部品の手配を行うステップ、
を更に備える。 
【発明の効果】
【００２６】
本発明によれば、点検時や不具合発生時に専用の計測器を現場へ持ち込むことなく即座にポンプのデータを計測できる給水装置を提供できる。
【図面の簡単な説明】
【００２７】
【図１】図１は、一実施の形態に係る給水装置を正面側から見た斜視図である。
【図２】図２は、図１に示す給水装置を背面側から見た斜視図である。
【図３】図３は、図２に示す給水装置のポンプにリモコンを取り付ける工程を説明するための図である。
【図４】図４は、一実施の形態に係る給水装置のリモコンの内部構成を示すブロック図である。
【発明を実施するための形態】
【００２８】
以下に、添付の図面を参照して、本発明の実施の形態を詳細に説明する。なお、本明細書に添付する図面においては、図示の理解のしやすさの便宜上、適宜縮尺および縦横の寸法比等を、実物のそれらから変更し誇張してある。
【００２９】
図１は、一実施の形態に係る給水装置１０を正面側から見た斜視図である。図２は、図１に示す給水装置１０を背面側から見た斜視図である。
【００３０】
図１および図２に示すように、給水装置１０は、ポンプ１１ａ、１１ｂと、ポンプ１１ａ、１１ｂの動作を制御する制御盤１２と、制御盤１２の筐体１２ａに対して着脱可能なリモコン２０と、を備えている。
【００３１】
本実施の形態では、給水装置１０は、集合住宅やオフィスビル等の建物の給水設備として使用される増圧給水方式の給水装置（給水ユニット）であり、水道本管から分岐した給水管に吸込配管１４ａ、１４ｂが直接接続され、給水管の圧力をポンプ１１ａ、１１ｂにより更に増圧して、吐出配管１５から建物内の所要箇所へと給水する。符号１３は、圧力タンクを示している。
【００３２】
図１に示すように、制御盤１２の筐体１２ａの正面には、凹部１２ｂが形成されており、リモコン２０は、筐体１２ａの凹部１２ｂに脱着可能に篏合されて保持されるようになっている。
【００３３】
図４は、リモコン２０の内部構成を示すブロック図である。
【００３４】
図４に示すように、リモコン２０は、表示部２１と、入力部２２と、通信部２３と、接着部２４と、計測部２５と、制御部２６と、記憶部２７と、無線通信部２８と、ＩＣタグ読取部２９と、蓄電部３０とを有している。各部は、バスを介して互いに通信可能に接続されている。
【００３５】
通信部２３は、制御盤１２とリモコン２０との間の通信インターフェースである。通信部２３は、所定の通信線を介して制御盤１２とリモコン２０との間で情報を送受信する。通信部２３と制御盤１２との間の通信線は、有線と無線のいずれでもよく、通信線の種類や形態は問わない。無線の場合には、たとえば、Ｂｌｕｅｔｏｏｔｈ（登録商標）などの近距離無線通信が用いられてもよい。
【００３６】
表示部２１は、リモコン２０からユーザに対して各種情報を表示するインターフェースであり、たとえば７セグメントＬＥＤ、液晶パネル、有機ＥＬパネルなどである。表示部２１は、たとえば、制御盤１２から取得される各種情報（ポンプ１１ａ、１１ｂの運転パラメータなど）や、後述する計測部２５の計測データ、警告（アラーム）、お知らせ事項などを表示する。
【００３７】
入力部２２は、ユーザがリモコン２０に情報を入力するためのインターフェースであり、たとえば、ボタン、スイッチ、キーパッド、タッチパネルなどである。入力部２２は、ユーザから制御盤１３への操作情報の入力を受け付けてもよい。
【００３８】
接着部２４は、リモコン２０をポンプ１１ａ、１１ｂや配管に着脱可能に接着して固定するための手段である。図２に示す例では、接着部２４は、複数の磁石を有しており、リモコン２０の背面に設けられている。リモコン２０は、表示部２１および入力部２２が正面に見えるような姿勢で、ポンプ１１ａ、１１ｂや配管などの磁性材料部分に磁力により接着（吸着）されて固定されるようになっている。
【００３９】
なお、接着部２４は、リモコン２０をポンプ１１ａ、１１ｂや配管に着脱可能に接着して固定できるものであれば、磁石に限定されるものではなく、たとえば、粘着性材料であってもよいし、ポンプ１１ａ、１１ｂや配管の所定部分に予め設けられた面ファスナーに固着可能な面ファスナーであってもよいし、吸盤であってもよい。
【００４０】
計測部２５は、接着部２４によりリモコン２０がポンプ１１ａ、１１や配管に接着して固定された状態で、ポンプ１１ａ、１１ｂのデータを計測するセンサを有している。センサとしては、たとえば、振動センサ（加速度センサ）、騒音センサ（マイクロフォン）、温度センサおよび浸水センサのうちの１つまたは２つ以上が用いられる。上述した表示部２１は、計測部２５で計測された計測データの表示を行ってもよい。
【００４１】
制御部２６は、リモコン２０の各種処理を行う制御手段である。制御部２６は、リモコン２０内のプロセッサが所定のプログラムを実行することにより実現されてもよいし、ハードウェアで実装されてもよい。
【００４２】
記憶部２７は、たとえば内蔵メモリなどのデータストレージである。記憶部２７には、制御部２６が取り扱う各種データが記憶される。たとえば、記憶部２７は、第１の閾値２７ａと、第１の閾値２７ａより低い第２の閾値２７ｂとを記憶している。第１の閾値２７ａは、大きな振動や騒音に対してポンプ１１ａ、１１ｂの保護を行うために設定された閾値であり、第２の閾値２７ｂは、振動や騒音が大きくなるのを事前に予防するための制御を行うために設定された閾値である。
【００４３】
また、記憶部２７は、制御盤１３から取得するポンプ１１ａ、１１ｂの圧力値や電流値などの情報を蓄積してもよいし、計測部２５から取得される振動値や騒音値などの情報を蓄積してもよい。
【００４４】
制御部２６は、計測部２５から取得される計測データを監視して、記憶部２７に記憶された第１の閾値２７ａおよび第２の閾値２７ｂとの比較を行う。なお、制御部２６は、第１の閾値２７ａおよび第２の閾値２７ｂとの比較を行う「計測データ」として、（１）前回の計測データと今回の計測データとの比（または差）を利用してもよいし、（２）今回の計測データの瞬間的な変化率（または変化幅）を利用してもよいし、（３）今回の計測データの絶対値を利用してもよいし、（４）今回の計測データの初期値（または過去一定期間の平均値）からの増加分を利用してもよい。
【００４５】
制御部２６は、計測部２５の計測データが第１の閾値２７ａに到達したと判定した場合には、大きな振動や騒音に対してポンプ１１ａ、１１ｂの保護を行うために、表示部２１に警告を表示してユーザによる緊急の対応を求めてもよいし、通信部２３を介して制御盤１３に制御信号を送信してポンプ１１ａ、１１ｂの動作を緊急停止させてもよい。
【００４６】
また、制御部２６は、計測部２５の計測データが第１の閾値２７ａには未達であっても第２の閾値２７ｂには到達したと判定した場合には、振動や騒音が大きくなるのを事前に予防するために、通信部２３を介して制御盤１３に制御信号を送信して、ポンプ１１ａ、１１ｂの運転周波数を低下させてもよいし、ポンプ１１ａ、１１ｂが予め定められた共振周波数などのジャンプ周波数帯域で運転しないよう、運転周波数を調整してもよい。あるいは、制御部２６は、ジャンプ周波数自体を書き換えてもよい。
【００４７】
なお、制御部２６は、計測部２５の計測データが第２の閾値２７ｂに到達したと判定した場合には、振動や騒音が大きくなるのを事前に予防するために、振動や騒音の発生箇所を故障箇所として特定し、表示部２１に故障箇所の部品交換を促す旨の表示を行ってもよい。
【００４８】
無線通信部２８は、インターネットに接続するための通信インターフェースである。リモコン２０に時計機能が搭載されている場合には、無線通信部２８がインターネットに接続して自動で時刻補正を行ってもよい。
【００４９】
制御部２６は、計測部２５の計測データが第２の閾値２７ｂに到達したと判定した場合には、振動や騒音が大きくなるのを事前に予防するために、振動や騒音の発生箇所を故障箇所として特定し、無線通信部２８を介してポンプ装置管理サーバ等にアクセスして故障箇所の交換部品の手配を自動で行ってもよい。
【００５０】
ＩＣタグ読取部２９は、ポンプ１１ａ、１１ｂや配管に取り付けられたＩＣタグを読み取り可能である。たとえば、ポンプ１１ａ、１１ｂや配管のうちリモコン２０（センサ）を設置すべき位置に予めＩＣタグが取り付けられており、点検時や不具合発生時には、ＩＣタグ読取部２９によりＩＣタグの読み取りを行うことで、リモコン２０（センサ）の設置位置が特定されるようになっていてもよい。
【００５１】
蓄電部３０は、リモコン２０の各部に電力を供給する。なお、蓄電部３０は必ずしも必須ではなく、制御盤１３とリモコン２０との間に電力線が配線されていてもよい。ただし、給水装置１０が地下のポンプ室内などインターネットに無線では接続しづらい環境に設置されている場合には、地下のポンプ室の外部にリモコン２０を持ち出してインターネットを利用するために、リモコン２０には蓄電部３０が設けられていることが好ましい。
【００５２】
次に、このような構成からなる給水装置１０のリモコン２０による制御方法について説明する。
【００５３】
給水装置１０は、通常、設置時および半年もしくは１年に一度、点検作業が行われる。この点検時や不具合発生時にポンプ１１ａ、１１ｂのデータを計測する必要が生じた場合には、まず、給水装置１０の制御盤１２の筐体１２ａからリモコン２０が取り外される。そして、図３に示すように、リモコン２０の接着部２４が、ポンプ１１ａ、１１ｂや配管の所定位置に接着されることにより、リモコン２０がポンプ１１ａ、１１ｂや配管に対して着脱可能に固定される。
【００５４】
リモコン２０の設置位置は、ポンプ１１ａ、１１ｂや配管の点検に適した位置に予め磁石が設置されており、その磁石に接着部２４が吸着することにより特定されてもよいし、ＩＣタグ読取部２９がポンプ１１ａ、１１ｂや配管に予め取り付けられたＩＣタグを読み取ることにより特定されてもよい。点検の度に同一箇所にリモコン２０を設置して計測を行うことにより、該当箇所における経年劣化の確認が可能となる。
【００５５】
リモコン２０が接着部２４によりポンプ１１ａ、１１ｂや配管に接着されて固定された状態で、計測部２５はポンプ１１ａ、１１ｂのデータ（振動値や騒音値など）を計測する。本実施の形態では、リモコン２０に計測部２５（センサ）が内蔵されているため、ユーザは専用の計測器を用意して現場に持ち込む必要が無く、即座に計測作業を開始することができる。
【００５６】
計測部２５により計測された計測データは、表示部２１に表示される。これにより、ユーザは、リモコン２０が適切な設置場所および設置方向で設置されているか否かを、表示部２１に表示された数値を確認して判断することができる。また、リモコン２０は、接着部２４によりポンプ１１ａ、１１ｂや配管に対して着脱可能に固定されるため、リモコン２０の設置場所および設置方向が適切でなかった場合には、リモコン２０の設置場所および設置方向を容易に調整（修正）することが可能である。
【００５７】
記憶部２７には、制御盤１３から取得するポンプ１１ａ、１１ｂの圧力値や電流値などの情報とともに、計測部２５から取得される振動値や騒音値などの情報が蓄積される。
【００５８】
制御部２６は、計測部２５から取得する計測データを監視し、記憶部２７に記憶された第１の閾値２７ａおよび第２の閾値２７ｂとの比較を行う。
【００５９】
そして、制御部２６は、計測部２５の計測データが第２の閾値２７ｂには到達したと判定した場合には、振動や騒音を抑制するために、通信部２３を介して制御盤１３に制御信号を送信して、ポンプ１１ａ、１１ｂの運転周波数を低下させる。あるいは、制御部２６は、制御盤１３に制御信号を送信して、ポンプ１１ａ、１１ｂが予め定められたジャンプ周波数帯域で運転しないよう、運転周波数を調整してもよい。あるいは、制御部２６は、制御盤１３に制御信号を送信して、ジャンプ周波数自体を書き換えてもよい。
【００６０】
また、制御部２６は、計測部２５の計測データが第２の閾値２７ｂに到達したと判定した場合には、振動や騒音が大きくなるのを事前に予防するために、振動や騒音の発生箇所を故障箇所として特定し、表示部２１に故障箇所の部品交換を促す旨の表示を行う。これにより、表示部２１の表示を確認したユーザが、交換部品の手配を開始することができる。あるいは、制御部２６は、無線通信部２８を介してポンプ装置管理サーバ等にアクセスして故障箇所の交換部品の手配を自動で行ってもよい。このようにして、故障箇所の交換部品が予め手配されることで、従来のメンテナンス費用を大幅に削減することが可能となる。
【００６１】
また、制御部２６は、計測部２５の計測データが第２の閾値２７ｂを超過して第１の閾値２７ａまで到達したと判定した場合には、大きな振動や騒音に対してポンプ１１ａ、１１ｂの保護を行うために、表示部２１に警告を表示してユーザによる緊急の対応を求める、および／または、通信部２３を介して制御盤１３に制御信号を送信してポンプ１１ａ、１１ｂの動作を緊急停止させる。これにより、ポンプ１１ａ、１１ｂの故障を未然に防ぐことが可能となる。
【００６２】
以上のように、本実施の形態によれば、制御盤１２の筐体１２ａから取り外したリモコン２０の接着部２４をポンプ１１ａ、１１ｂや配管に接着させた状態で、計測部２５によりポンプ１１ａ、１１ｂのデータを計測することができる。これにより、点検時や不具合発生時に専用の計測器を現場へ持ち込むことなく即座にポンプ１１ａ、１１ｂのデータ計測を開始できる。したがって、問題を解決するまでの時間および工数の削減が可能となる。
【００６３】
また、本実施の形態によれば、計測部２５により計測された計測データは、表示部２１に表示されるため、ユーザは、リモコン２０が適切な設置場所および設置方向で設置されているか否かを、表示部２１に表示された数値を確認して判断することができる。また、リモコン２０が接着部２４によりポンプ１１ａ、１１ｂや配管に対して着脱可能に固定されるため、リモコン２０の設置場所および設置方向が適切でなかった場合には、リモコン２０の設置場所および設置方向を容易に調整（修正）して、データ計測を継続することが可能である。これにより、作業性が向上し、作業時間短縮の実現や作業ミスの削減、さらにメンテナンス費用の削減に繋げることが可能となる。
【００６４】
また、本実施の形態によれば、制御部２６が計測部２５の計測データを監視し、計測データが第１の閾値２７ａに到達したと判定した場合には、表示部２１に警告を表示する、および／または、制御盤１２に制御信号を送信してポンプ１１ａ、１１ｂの動作を停止するため、大きな振動や騒音の発生によるポンプ１１ａ、１１ｂの故障を未然に防ぐことが可能となる。
【００６５】
また、本実施の形態によれば、計測データが第１の閾値２７ａより低い第２の閾値２７ｂに到達した場合には、制御部２６が、制御盤１３に制御信号を送信してポンプ１１ａ、１１ｂの運転周波数を低下させる、または、ポンプ１１ａ、１１ｂが予め定められたジャンプ周波数帯域で運転しないよう運転周波数を調整する、または、ジャンプ周波数自体を書き換えるため、振動や騒音が大きくなることを抑制することができる。
【００６６】
また、本実施の形態によれば、計測データが第２の閾値２７ｂに到達した場合には、制御部２６が、振動や騒音の発生箇所を故障箇所として特定し、表示部２１に故障箇所の部品交換を促す表示を行う、または、無線通信部２８を介して故障箇所の交換部品の手配を自動で行うため、従来のメンテナンス費用を大幅に削減することが可能となる。
【００６７】
以上、本発明の実施の形態を例示により説明したが、本発明の範囲はこの実施の形態に限定されるものではなく、請求項に記載された範囲内において目的に応じて適宜変更・変形を加えてもよいことは言うまでもない。
【符号の説明】
【００６８】
１０    給水装置
１１ａ、１１ｂ  ポンプ
１２    制御盤
１２ａ  筐体
１２ｂ  凹部
１３    圧力タンク
１４ａ、１４ｂ  吸込配管
１５    吐出配管
２０    リモコン
２１    表示部
２２    入力部
２３    通信部
２４    接着部
２５    計測部
２６    制御部
２７    記憶部
２７ａ  第１の閾値
２７ｂ  第２の閾値
２８    無線通信部
２９    ＩＣタグ読取部
３０    蓄電部
【図１】
2019113013.tif 000003
【図２】
2019113013.tif 000004
【図３】
2019113013.tif 000005
【図４】
2019113013.tif 000006